(57)【要約】【課題】基板ボックスの封印シールを一旦剥がし或は破ったものを貼り直して偽装する不正行為を有効に防止し得るようにした遊技機を提供する。【解決手段】制御基板が収納された基板ボックス８を備え、基板ボックス８は、前側に位置する前面板１２に側壁１３を突設して後面開放状にしたベース体１０と、後側に位置する後面板１４に側壁１５を突設して前面開放状となしベース体１０に嵌め合わせて接合される蓋体１１と、基材シート３４の裏面に貼着剤層３５を形成してベース体１０と蓋体１１とを跨ぐように貼着する封印シール３０とを有する遊技機であって、封印シール３０は、リーダーを介して読み取り可能な二次元コード３３ｂを有しており、一方、基板ボックス８は、封印シール３０の封印を解く封印解除操作によって二次元コード３３ｂのリーダーによる読み取りを困難又は不能にするダメージ付与手段を有するものであることを特徴とする。【選択図】        図３
2019115804.tif 000002
【特許請求の範囲】
【請求項１】
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
基材シートの裏面に貼着剤層を形成してなり、前記ベース体と前記蓋体とを接合した状態でその境界部を跨ぐように貼着して封印する封印シールと、を有する遊技機であって、
前記封印シールは、その表面にリーダーを介して読み取り可能な二次元コードを有しており、
一方、前記基板ボックスは、前記封印シールの封印を解く封印解除操作によって前記二次元コードの前記リーダーによる読み取りを困難又は不能にするダメージ付与手段を有するものであり、
さらに前記ダメージ付与手段は、前記基材シートの少なくとも前記二次元コードの背景部分に、前記貼着剤層を剥離させ得る溶剤に反応して変色する溶剤反応型インク部を形成すると共に、該溶剤反応型インク部の溶剤反応後の色と前記二次元コードの色とを前記リーダーによる二次元コードの読み取りが困難又は不能になる組み合わせにしたものであることを特徴とする遊技機。
【発明の詳細な説明】
【技術分野】
【０００１】
本発明は、基板ボックスに制御基板が収納された制御装置を有する遊技機に関する。
【背景技術】
【０００２】
遊技球の入賞・非入賞で遊技を行うパチンコ機や、複数の数字や図柄の組み合わせで遊技を行うスロットマシン等の遊技機には、基板ボックスに制御基板を収納した制御装置が装備されている。そして、この制御装置によって遊技の大部分が制御されるようになっており、そのため近年では、その制御装置の基板ボックスをベース体と蓋体とに解体し、中の制御基板を取り出して不正者に有利なものにすり替える、という不正行為が行われていた。
【０００３】
そして、そのような不正行為に対し、基材シートの裏面に貼着剤層を備えた封印シールを使用し、該封印シールを前記ベース体と前記蓋体との境界部に貼って封印するようにしたものがある（例えば、特許文献１参照）。
【先行技術文献】
【特許文献】
【０００４】
【特許文献１】特開平９−２２５０９２号公報
【発明の概要】
【発明が解決しようとする課題】
【０００５】
ベース体と蓋体との間に封印シールを貼付して封印することにより一定の不正防止効果は得られるが、例えば不正者が封印シールの貼着剤層の剥離に適した溶剤等を使って封印シールを剥がし、そうしてベース体から蓋体を外して制御基板等をすり替えた後、蓋体を閉じて剥がした封印シールを貼り直すか、或は封印シールを破断させ、そうして前記と同様に制御基板等をすり替えてから継ぎ目が目立たないように貼り直す、という新たな手口の不正行為が問題になっていた。
【０００６】
本発明は、上記に鑑みなされたもので、その目的は、一旦剥がし或は破った封印シールを貼り直して偽装する不正行為を有効に防止し得るようにした遊技機を提供することにある。
【課題を解決するための手段】
【０００７】
上記の目的を達成するため本発明は、
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
基材シートの裏面に貼着剤層を形成してなり、前記ベース体と前記蓋体とを接合した状態でその境界部を跨ぐように貼着して封印する封印シールと、を有する遊技機であって、
前記封印シールは、その表面にリーダーを介して読み取り可能な二次元コードを有しており、
一方、前記基板ボックスは、前記封印シールの封印を解く封印解除操作によって前記二次元コードの前記リーダーによる読み取りを困難又は不能にするダメージ付与手段を有するものであり、
さらに前記ダメージ付与手段は、前記基材シートの少なくとも前記二次元コードの背景部分に、前記貼着剤層を剥離させ得る溶剤に反応して変色する溶剤反応型インク部を形成すると共に、該溶剤反応型インク部の溶剤反応後の色と前記二次元コードの色とを前記リーダーによる二次元コードの読み取りが困難又は不能になる組み合わせにした遊技機を提供する。
【発明の効果】
【０００８】
本発明によれば、二次元コードを設けた封印シールと、封印シールの封印を解く封印解除操作によって前記二次元コードにダメージを与えるダメージ付与手段とを組み合わせたため、封印シールの封印を解除して基板ボックスを開くと、リーダーによる二次元コードの読み取りが困難又は不能になる。したがって、そのような封印シールを貼り直して仮に目視による発覚を免れたとしても、二次元コードの情報をリーダーで読み取る管理のための日常点検で確実に発見することができる。
【図面の簡単な説明】
【０００９】
【図１】制御装置を水平面に置いた状態を示す斜視図である。
【図２】制御装置を水平面に置いて反対側から見た状態を示す斜視図である。
【図３】制御装置を蓋体側から正視した状態を示す正面図である。
【図４】図３の下側から見た状態を示し、一部を断面にしてその部分の拡大図を含む底面図である。
【図５Ａ】図３のＡ−Ａ線断面図である。
【図５Ｂ】図３のＢ−Ｂ線断面図である。
【図６Ａ】図５ＡのＥ部拡大図である。
【図６Ｂ】図５ＢのＦ部拡大図である。
【図７】一部拡大図を含む図３のＣ−Ｃ線断面図である。
【図８】一部拡大図を含む図４のＤ−Ｄ線拡大断面図である。
【図９】図８のＧ−Ｇ線矢示方向の拡大一部断面図である。
【図１０】封印部を分解して示す制御装置の斜視図である。
【図１１】図１０の反対側から見た状態（封印シール省略）を示す制御装置の斜視図である。
【図１２】カバー部材とシール破断板を示す斜視図である。
【図１３】図７の一部を拡大して封印シールで封印する手順を示す断面図である。
【図１４】カバー部材を装着する直前の状態を示す図５ＡのＥ部相当断面図である。
【図１５】（ａ）は封印シールの表面図、（ｂ）は封印シールの裏面図である。
【図１６Ａ】図５Ａからカバー部材を遊び相当分移動させた状態を示す断面図である。
【図１６Ｂ】図５Ｂからカバー部材を遊び相当分移動させた状態を示す断面図である。
【図１７Ａ】図１６Ａからカバー部材をさらに移動させた状態を示す断面図である。
【図１７Ｂ】図１６Ｂからカバー部材をさらに移動させた状態を示す断面図である。
【図１８Ａ】図１７Ａからカバー部材をさらに移動させて完全に外した状態を示す断面図である。
【図１８Ｂ】図１７Ｂからカバー部材をさらに移動させて完全に外した状態を示す断面図である。
【図１９】図７の一部を拡大してカバー部材を完全に外した状態を示す断面図である。
【図２０】後面側から見た遊技機の裏面図である。
【図２１】他の形態を示す図５Ａ相当断面図である。
【発明を実施するための形態】
【００１０】
［実施形態１］
以下に本発明の実施形態１を遊技機の一種であるパチンコ機により説明する。
なお、便宜上、遊技機は、遊技者側を前、反対側を後として説明する。また、その遊技機に装着された後述する制御装置は、設置状態を基準として遊技者側（遊技者に近い側）を前、反対側を後とし、図面上に「前」、「後」、「上」、「下」を参考表記した。
【００１１】
［遊技機全体］
遊技機は、図２０に示したように、四角い枠状の外枠１と、その外枠１の前面に横開きの扉状に取り付けた前枠２と、その前枠２の後面に取り付けた機構盤３と、を有する。前記機構盤３は、前枠２に着脱交換可能な状態に装着された遊技板（図示せず）の後面を覆うように取り付けられており、遊技球を貯留する球タンク４と、その球タンク４の遊技球を下方に流す導出樋５と、その導出樋５の遊技球を入賞の景品として遊技者に放出する景品球放出装置６と、を備え、さらに下側に遊技に関わる制御を行う制御装置７を備えている。
【００１２】
［制御装置］
前記制御装置７は、開閉可能な蓋付き箱構造である基板ボックス８に、図示しないがＣＰＵやメモリー等の電子部品を搭載した制御基板９（例えば図５Ａ，図５Ｂ参照）を収納したものであり、機構盤３に対して着脱可能になっている。
【００１３】
［基板ボックス］
前記基板ボックス８は、蓋付き箱の「身」に相当するベース体１０と、蓋付き箱の「蓋」に相当する蓋体１１とから概略構成される。
前記ベース体１０は、例えばポリカーボネート等の透明な合成樹脂製であって、前記機構盤３に当接する横長長方形状の前面板１２と、該前面板１２から後ろ向きに突設した側壁１３とからなり、後面開口状になっている。
一方、蓋体１１は、例えばポリカーボネート等の透明な合成樹脂製であって、横長長方形状の後面板１４と、該後面板１４から前向きに突設した側壁１５と、該側壁１５の内側に形成した内壁１５ａとからなり、前面開口状になっている。
かかるベース体１０と蓋体１１は、ベース体１０の側壁１３の開口サイズが蓋体１１の側壁１５の開口サイズより一回り小さくなっており、したがってベース体１０の側壁１３の外側に蓋体１１の側壁１５が被さり、また、ベース体１０の側壁１３の内側に蓋体１１の内壁１５ａが沿う状態で嵌まり合う。
【００１４】
ベース体１０と蓋体１１の図３，図４において左横の側壁１３，１５は、接合・分離可能な蝶番構造になっている。具体的には、図４の部分断面及びその拡大図に示したように、ベース体１０の側壁１３に逆さＵ溝状の袋部１６を設け、一方、蓋体１１の側壁１５にＬ形鉤部１７を設け、この蓋体１１のＬ形鉤部１７をベース体１０の袋部１６に回り込ませつつ係合させることにより、蓋体１１をベース体１０に対して回動可能に支持し且つ分離可能に接合している。なお、蓋体１１の図３において右横の側壁１５には、蓋体１１の開閉を容易にする摘み片１８が中央位置に突設されている。
【００１５】
［封印手段］
また、ベース体１０と蓋体１１の図３において右側の側壁１３，１５には、ベース体１０と蓋体１１とを接合して封印し且つ封印解除に際してベース体１０及び蓋体１１の一部を破壊する封印手段１９が形成されている。
具体的には、図２，図３に示したように、蓋体１１の封印突部２０とベース体１０の封印突部２１を整合させ、蓋体１１上に丸囲いの「１」と刻印されている四角い凹み部分２２ａ，２２ａにネジ（図示せず）を通して両者を接合し、さらにその凹み部分２２ａ，２２ａに栓部材（図示せず）を詰めて前記ネジが外せないように封印し、そうして封印解除に際してベース体１０と蓋体１１の図２，図３に符合ｚで示した脆弱部分をニッパ等の工具で破断する。
なお、封印手段１９には蓋体１１上に丸囲いの「２」と刻印されている第２の凹み部分２２ｂ，２２ｂが形成されており、必要な検査等のために前記脆弱部分ｚを破断して蓋体１１を開いた場合でも第２の凹み部分２２ｂ，２２ｂを使って再度封印し得るようになっている。
【００１６】
また、ベース体１０と蓋体１１の図３において長手方向下側の側壁１３，１５は、図８，図９に示したように２本のネジ２３，２３で接合されている。具体的には、図９に示したように、蓋体１１の後面板１４を下方に延設して前記ネジ２３，２３挿通用の皿孔２４を有するネジ止め用の庇状部２５を形成し、一方、図８，図９に示したようにベース体１０の側壁１３の外面に前記庇状部２５と略整合するネジ受け部２６を突設し、該ネジ受け部２６に形成したネジ受け用のボス部２７に前記庇状部２５の皿孔２４からネジ２３，２３を通し、該ネジ２３，２３の締め付けによってもベース体１０と蓋体１１が接合されている。
【００１７】
なお、実施形態１では、図８の拡大図に示したように、ベース体１０のネジ受け部２６のボス部２７を、ネジ受け部２６の外面より外部に膨出させて前後方向（図８では奥行き方向）に連続するレール状の膨出部２７ａとしてある。こうすることにより、ネジ止めに必要なボス部２７の肉厚（強度）を損なうことなくネジ受け部２６の厚みが抑制できる効果と、後述するシール破断板２８の凹溝２９に嵌って該シール破断板２８を真っ直ぐ正確に摺動させ得る効果が得られる。
【００１８】
また、前記２本のネジ２３，２３は、図９に示したようにベース体１０と蓋体１１の接合境界部を跨いで貼着される封印シール３０によって頭部２３ａが覆われていて、そのままでは取り外せないように封印されている。
具体的には図９に示したように、蓋体１１の前記庇状部２５から後面板１４の一部に及ぶ凹面部３１を形成し、一方、ベース体１０の前面板１２に前記ネジ受け部２６から後述するシール破断板２８の厚み相当分の間隔を離してシール貼着板３２を突設し、そのシール貼着板３２と蓋体１１の前記凹面部３１に、図１５（ａ）に示したごとく表面の中程に例えば「開封禁止」のような注意表示３３ａを施した封印シール３０を貼着する。シール貼着板３２と凹面部３１は略直交する位置関係になっており、したがって封印シール３０は、基板ボックス８の略直交する角部に折曲げ状態で貼着され、その折り曲げ状態で「開封禁止」の注意表示３３ａが図３に示したように基板ボックス８の後面側から明確に見えるようになっている。
【００１９】
［封印シール］
前記封印シール３０は、図１５（ａ），（ｂ）に示したように、破断（※鋭い刃物で切り離す場合と、切れの悪いいわゆるなまくらな刃物で突き破るような状態で切り離す場合の双方を含む。以下同じ）可能な紙や樹脂シート等の素材で形成されていて、横長長方形を基本形状とし、全周をギザギザに加工した基材シート３４と、該基材シート３４の裏面に形成された例えばポリエステル樹脂、アクリル樹脂、ゴム系樹脂等をベースとした貼着剤層３５と、からなる。
【００２０】
この封印シール３０の表面には、リーダーを介して読み取り可能な二次元コード３３ｂが形成されている。実施形態１の二次元コード３３ｂは、遊技機或は制御装置７に関する情報を二次元的なセルの組み合わせで記録したいわゆるＱＲコード（登録商標、以下同じ。）であり、専用のスキャナ或は多機能携帯端末（いわゆる「スマートフォン」）等のリーダーで読み取り得る。なお、リーダーで読み取られた二次元コード３３ｂの情報は、遊技場の管理コンピュータに送信されて適宜処理される。もちろん二次元コード３３ｂに記録される情報及びその利用方法は任意である。
【００２１】
また、封印シール３０の表面には、前記「開封禁止」の注意表示３３ａと前記二次元コード３３ｂとの間を仕切るように複製防止用のホログラム３３ｃが縦帯状に形成され、また、注意表示３３ａの上方に封印シール３０の管理番号３３ｄが形成され、また、上下両辺沿いに、前記貼着剤層３５に作用してその接着性又は粘着性を殺ぎ得る（主として溶解）例えばエタノール系の溶剤に反応して溶け出すインクによって線状の目視チェック部３３ｅが形成され、その上さらにぎざぎざの周縁部に図示しないが複製防止用の細紋印刷が施されている。
また、封印シール３０には、物理的な剥離作業の困難性を高めるための切込み３６が形成されている。
【００２２】
しかして、実施形態１の基板ボックス８には、前記封印シール３０の封印を解く封印解除操作によって前記二次元コード３３ｂのリーダーによる読み取りを困難又は不能にするダメージ付与手段が設けられている。
【００２３】
［ダメージ付与手段］
本実施形態１のダメージ付与手段は、封印シール３０を防護する透明なカバー部材３８と、封印シール３０を破断して封印を解くシール破断板２８とから概略構成される。
【００２４】
［カバー部材］
カバー部材３８は、図９，図１０に示したように、蓋体１１の前記凹面部３１に嵌って該蓋体１１の後面板１４と面一になる蓋側カバー片３９と、ベース体１０の前記シール貼着板３２の外面に沿うベース側カバー片４０と、該ベース側カバー片４０の両側に突設されて前記シール貼着板３２の両横を囲う横カバー片４１，４１と、該横カバー片４１，４１の外側に突設されたＬ形受片４２，４２と、を備えている。
【００２５】
該カバー部材３８は、図７，図１３に示したように、ガイド手段によって取付け・取外し方向が前後方向に規制された状態で基板ボックス８に取り付けられている。
【００２６】
具体的なガイド手段は、図７，図１３に示したように、蓋体１１の庇状部２５の両横に突設した蓋側ガイド片４３，４３と、ベース体１０の前面板１２から突設して前記蓋側ガイド片４３，４３に対向するベース側ガイド片４４，４４と、ベース体１０の前面板１２と側壁１３から外向きに突設して前記ベース側ガイド片４４，４４の回りを囲うカバー受け４５と、から構成されており、図１３に示したように、カバー部材３８の横カバー片４１，４１の内面に前記蓋側ガイド片４３，４３とベース側ガイド片４４，４４の外面が当接してカバー部材３８の横方向への動きを規制し、また、カバー部材３８のベース側カバー片４０を蓋側ガイド片４３，４３とベース側ガイド片４４，４４の各端面とベース体１０のカバー受け４５の間に挟んでカバー部材３８の上下方向（図７，図１３では紙面と直交する方向）への動きを規制し、もってカバー部材３８の取付け・取外し方向を前後方向に規制する。
【００２７】
また、ガイド手段は、図７の拡大図に実線と想像線で示したように、前記ベース側ガイド片４４に弾性変形可能な鍵片４６を有しており、該鍵片４６をカバー部材３８の前記横カバー片４１に開設した係止孔４７に係合させることによってカバー部材３８を固定する。
【００２８】
この固定状態でカバー部材３８は、図９に示したように、蓋側カバー片３９が蓋体１１の前記凹面部３１に嵌っているため指を引っ掛けて引っ張るような場所がなく、また、カバー部材３８の前端も前記カバー受け４５で囲われているため指を引っ掛けて引っ張るような場所がなく、さらに前記係止孔４７に係合した鍵片４６は外部から係合を解除する手段もない。よってカバー部材３８は取外しが困難である。このこと自体は、カバー部材３８によって封印シール３０を防護するという観点からは都合がよい。しかし一方、カバー部材３８は、正規の検査を行うとき等に取外し得るようにしておく必要がある。そこで実施形態１では、カバー部材３８の両横に突設した前記Ｌ形受片４２，４２との間に僅かな隙間ｔを設けてベース体１０に台板４８，４８を突設し、その台板４８，４８とＬ形受片４２，４２との間にマイナスドライバー等の工具を差し込んで梃子作用により大きな力が加えられるようになし、その力で前記鍵片４６と係止孔４７の係合が強制解除できるようになっている。換言すれば、実施形態１のカバー部材３８は、工具による大きな力を加えた場合にのみ、ガイド手段によって規制された方向に摺動させて取り外し得るようになっている。
【００２９】
なお、図１０，図１１において符合４９は蓋体１１の前記凹面部３１に突設した凸条であり、該凸条４９によって封印シール３０の貼着領域を明確にすると共に、封印シール３０の表面とカバー部材３８の蓋側カバー片３９との間に適度な隙間を設けて封印シール３０の表面がカバー部材３８で擦れて傷むことを防止する。一方、該凸条４９を設けたことによりこれに近い側のカバー部材３８の端を凹面部３１に押し付けるとその凸条４９を支点としてカバー部材３８の反対側の端が浮き上がるため、これを防止すべくカバー部材３８の蓋側カバー片３９の側縁に図１２に示したように前記凸条４９と略同じ高さの枕片５０が突設されている。ちなみに、カバー部材３８の蓋側カバー片３９の端の浮き上がりは、蓋側カバー片３９と蓋体１１の間に工具を差し込んで蓋側カバー片３９を破壊し、そうして露出した封印シール３０を溶剤等で剥がしてその下のネジ２３，２３を外す、という不正につながるおそれがあって好ましくない。
【００３０】
［シール破断板］
シール破断板２８は、図１０〜図１３に示したように前記ネジ受け部２６とシール貼着板３２と、ベース側ガイド片４４，４４及び蓋側ガイド片４３，４３と、カバー受け４５と、で互いに直交する五面が仕切られた格納部５１に図７，図８に示したようにすっぽり収まる形状で尚且つ赤色等などに着色された透明な合成樹脂板（着色することにより入れ忘れが防止できる。）である。このシール破断板２８は、前記封印シール３０の長手辺と略平行に配置されて該長手辺より大きい長さを有する主板部５３と、該主板部５３の中間の前記封印シール３０側の端部に位置して該主板部５３と直角に交差し封印シール３０の短手辺と略平行に配置された副板部５４と、カバー部材３８と連結するための前記連結手段を構成するワンウェイクラッチ爪５５，５５と、を有する。
【００３１】
［シール破断板…主板部］
前記主板部５３は、格納部５１に格納した状態で前記封印シール３０の折曲げ部付近の直下にあって、図３に示したように前記注意表示３３ａとホログラム３３ｃと二次元コード３３ｂ（ＱＲコードの場合、データ領域外周の余白部を含む。）の下側を横断する位置にあり、該封印シール３０の裏面に対向する端縁が略Ｗ字状に形成されている。また、主板部５３の端縁は、鋭角で尖った先端を平らにして切れ味を落としたなまくらな刃状部５６になっている。したがって刃状部５６によって手を切るおそれがなく、且つ、切り口が適度に荒れるため復元が困難になる。
【００３２】
［シール破断板…副板部］
前記副板部５４は、前記主板部５３の山の頂部にあって、前記格納部５１に格納した状態で封印シール３０の短手辺と略平行になる状態に形成されており、図３に示したように前記注意表示３３ａと管理番号３３ｄの下側に位置している。また、副板部５４の端縁は、主板部５３の端縁と同じく鋭角で尖った先端を平らにして切れ味を落としたなまくらな刃状部５７になっているが、端縁全体を真っ直ぐ斜めにしてあたかも彫刻刀の印刀（「切り出し刀」ともいう。）のような形にすることによって、封印シール３０を突き上げる力が刃状部５７の一点に集中するようにしてある。
【００３３】
［シール破断板…ワンウェイクラッチ爪］
前記ワンウェイクラッチ爪５５，５５は、図１０に示したようにシール破断板２８の主板部５３の両横に形成され、図１６Ａに示したようにカバー部材３８のベース側カバー片４０に向けて傾斜状に垂下させた弾性変形可能な部材である。一方、前記カバー部材３８のベース側カバー片４０の内面には、該カバー部材３８の取外し方向の摺動時にのみ前記ワンウェイクラッチ爪５５，５５に係合し得るフック片５８，５８が突設されており、該フック片５８，５８と前記ワンウェイクラッチ爪５５，５５とにより連結手段が構成され、該連結手段によってシール破断板２８とカバー部材３８が連結される。
【００３４】
［その他］
図１，図２等において符合６４，６４…は、ベース体１０の図３において長手方向上側の側壁１３全体と、長手方向下側の前記カバー受け４５及び脚壁６２を除く側壁１３の外側に突設した短片状の防護壁であり、蓋体１１の側壁１５の外側を覆うことによってベース体１０と蓋体１１の間をこじ開けようとする異物が差し込めないようになっている。
【００３５】
［基板ボックスの組み立て］
以上の構成である基板ボックス８は、まずベース体１０に制御基板９を装着し、その上に蓋体１１を被せ、前記封印手段１９のネジを締めてベース体１０と蓋体１１を接合し、さらに封印手段１９の四角い凹み部分２２ａ，２２ａに栓部材を詰めて封印する。また、ネジ受け部２６に２本のネジ２３，２３を締め込んで、ここでもベース体１０と蓋体１１を接合する。
【００３６】
［シール破断板の格納］
次に、図１３矢示Ｉのように、ベース体１０の格納部５１にシール破断板２８を格納する。なお、蓋体１１の庇状部２５とネジ受け部２６及びベース体１０のシール貼着板３２には、凹欠部６５が形成されており、該凹欠部６５にシール破断板２８の副板部５４が収まる。この凹欠部６５によってシール破断板２８の副板部５４を正確に位置決めすることができる。
【００３７】
［封印シールの貼着］
次に、図１３矢示IIのように封印シール３０を蓋体１１の凹面部３１とシール貼着板３２に折曲げ状態にして貼る。この状態で前記ネジ２３，２３の頭部２３ａが封印シール３０で覆われ、また、格納部５１の上の開口が封印シール３０で覆われる。したがってシール破断板２８の主板部５３の刃状部５６が封印シール３０の注意表示３３ａとホログラム３３ｃと二次元コード３３ｂの裏側に対向し、尚且つ、シール破断板２８の副板部５４が封印シール３０の注意表示３３ａと管理番号３３ｄの裏側に対向する。
【００３８】
［カバー部材の装着］
次に、図１３矢示IIIのようにカバー部材３８をガイド手段に沿って摺動させて基板ボックス８に装着する。このときカバー部材３８の横カバー片４１に押されて図７の拡大図に想像線で示したようにベース体１０のベース側ガイド片４４（厳密に言えば、鍵片４６と一体の棒状部分）が弾性変形して内方に逃げ、カバー部材３８の押し込みが完了した時点で前記鍵片４６が横カバー片４１の係止孔４７に自己の弾性で復動して係合する。
一方、カバー部材３８をガイド手段に沿って摺動させるとき、フック片５８，５８がシール破断板２８のワンウェイクラッチ爪５５，５５の反爪面側を押し込みながら弾性変形させつつこれを乗り越える。そして、カバー部材３８のフック片５８，５８がワンウェイクラッチ爪５５，５５を通過した直後に該ワンウェイクラッチ爪５５，５５が自己の弾性により復動して図６Ａのようにカバー部材３８のフック片５８，５８と噛合可能な状態に向かい合う。
【００３９】
この状態で制御装置７を遊技機の機構盤３に装着し、日常的な点検で封印シール３０を目視で確認し、不正の有無等をチェックする。また、リーダーによって封印シール３０の二次元コード３３ｂから情報を読み取ることで所定の管理を行う。
【００４０】
［カバー部材の取外し］
次に、正規の検査等によりカバー部材３８を取り外す場合について説明する。
前記のようにカバー部材３８は、強固に接合され、また、工具を差し込む隙間がカバー部材３８の両横のＬ形受片４２，４２とベース体１０の台板４８，４８の間の隙間ｔに限定されているため、該隙間ｔにマイナスドライバー等の工具の先を差し込んで梃子作用により間隔ｔを広げる方向に大きな力を加える。この力で前記鍵片４６と係止孔４７の係合が強制解除されカバー部材３８が取り外し方向に摺動する。このカバー部材３８の摺動により図１６Ａのようにカバー部材３８のフック片５８，５８とワンウェイクラッチ爪５５，５５が噛み合う。なお、実施形態１では図１に示したように隙間ｔの横幅をマイナスドライバーが入る程度の大きさに規制する障壁５２が設けてあり、該障壁５２によってコイン等による安易な操作が行えないようにしてある。
【００４１】
次に、カバー部材３８をさらに摺動させると図１７Ａのようにフック片５８，５８とワンウェイクラッチ爪５５，５５が完全に噛合してシール破断板２８が図１７Ｂのように一緒に摺動する。このシール破断板２８の摺動によって副板部５４の刃状部５７が封印シール３０を突き破って注意表示３３ａと管理番号３３ｄを確実に破る。
【００４２】
次に、さらにカバー部材３８を摺動させると副板部５４に続いて主板部５３の刃状部５６が封印シール３０に当たる。封印シール３０には副板部５４によって既に異方向の裂け目が入っているため、主板部５３がその裂け目に分け入ることによって比較的簡単に破断し、図１８Ａ，図１８Ｂ，図１９のようにシール破断板２８がカバー部材３８と一体になった状態で格納部５１から抜ける。これにより注意表示３３ａとホログラム３３ｃと二次元コード３３ｂが一括して破断する。
【００４３】
その後、前記封印手段１９の図２，図３の符合ｚで示した脆弱部分をニッパ等の工具で破断し、そうしてベース体１０から蓋体１１を外して制御基板９の検査を実施する。そして検査が終了した後は、前記の要領でベース体１０に蓋体１１を被せて第２の凹み部分２２ｂ，２２ｂを使って再度封印し、新しい封印シール３０に交換してカバー部材３８を装着する。
【００４４】
［不正行為…カバー部材の取り外し］
実施形態１の制御装置７に対し、カバー部材３８を取り外し、ベース体１０から蓋体１１を外して正規の制御基板９を不正なものと交換し、そうして先に外したカバー部材３８を元に戻して不正の発覚を防ごうとする不正行為がある。
【００４５】
この場合、カバー部材３８を外した段階でシール破断板２８の主板部５３により、二次元コード３３ｂと注意表示３３ａとホログラム３３ｃを通る位置で封印シール３０が完全に破断され、また、副板部５４により注意表示３３ａと管理番号３３ｄが破れる。したがって、目視可能な全ての要素に破れた痕跡を残すことができる。
【００４６】
ホログラム３３ｃと注意表示３３ａと管理番号３３ｄと二次元コード３３ｂが破断している封印シール３０は、もちろん目視による検査で発見し得るが、もし仮に従業員が故意（従業員が不正者に加担しているケース）又は過失により封印シール３０の破れを見落としたとしても、リーダーによる二次元コード３３ｂの管理を行う際に読み取りエラーになることで、確実に発見することができる。
なお、実施形態１では、封印シール３０の破断箇所が折曲げ部沿いにあって切り口が跳ね上がりやすいため、目視による発見が容易であり、且つ、二次元コード３３ｂのダメージがより確実になる。
【００４７】
ところで、ＱＲコードには、システム上「誤り訂正機能」が設けられていて、読み取り精度が段階的に設定し得るようになっているが、好ましくは、かかるＱＲコードの誤り訂正機能の設定値をあえて最低レベルにするのがよい。何故なら、実施形態１の封印シール３０は、カバー部材３８で覆われているため汚れや傷ができる原因は殆ど不正行為によるものと推定され、よって汚れや傷に敏感に反応してエラーになる方が不正の検出上有利だからである。
【００４８】
以上の実施形態１から把握される技術的思想は、次のとおりである。
［実施形態１の技術的思想］
請求項１に記載のダメージ付与手段は、
装着状態で前記封印シールを覆うと共にガイド手段によって取外し方向が所定の摺動方向に規制されたカバー部材と、
前記封印シールの裏側対向位置に設けた格納部と、
該格納部内に前記カバー部材の取外し方向と同方向に摺動し得るように格納されたシール破断板と、を備え、
さらに前記シール破断板は、
前記格納部に格納した状態で連結手段により前記カバー部材に連結され、そうして該カバー部材に連動して前記取外し方向に摺動するようになし、さらにその摺動により前記封印シールの前記二次元コードを破断して前記格納部から引き出されるようにしたものであることを特徴とする。
【００４９】
［実施形態２］
実施形態２は、上記実施形態１の基板ボックス８に、第２のダメージ付与手段を追加したものである。
この第２のダメージ付与手段は、前記基材シート３４の少なくとも二次元コード３３ｂの背景部分に、前記貼着剤層３５を剥離させ得る溶剤に反応して変色する溶剤反応型インク部３７を形成すると共に、該溶剤反応型インク部３７の溶剤反応後の色と二次元コード３３ｂの色とをリーダーによる二次元コードの読み取りが困難又は不能になる組み合わせにしたものである。
【００５０】
この実施形態２の封印シール３０には、その表面全域に前記貼着剤層３５を剥離させ得る溶剤（例えば、エタノール、メチルエチルケトン、メチルイソブチルケトン等であって、貼着剤層３５に作用してその接着性又は粘着性を殺ぎ得る溶剤）に反応して変色する溶剤反応型インク部３７が均一に形成されている。該溶剤反応型インク部３７は、溶剤反応型のインクを基材シート３４の表面に塗布するか、或は基材シート３４にしみ込ませるようにして形成される。
【００５１】
溶剤反応型インク部３７を形成するインクは、例えば、ロイコ染料と顕色剤をバインダー樹脂に分散させたものであり、通常は透明になっているが、エタノール等の前記溶剤に触れると顕色剤が溶解し、それがロイコ染料と反応して変色する公知のものである。
【００５２】
溶剤反応型インク部３７の溶剤反応後の色は、ロイコ染料と顕色剤の組合せによりに赤、青、緑、黒等、適宜に設定することが可能であり、実施形態２では二次元コード３３ｂの色と溶剤反応型インク部３７の溶剤反応後の色が共に「黒」に設定されている。
【００５３】
［不正行為…封印シールの溶剤による剥離］
実施形態２の制御装置７に対し、封印シール３０を防護しているカバー部材３８を破壊して取り除き、露出した封印シール３０に溶剤をしみ込ませて剥がし、ベース体１０から蓋体１１を外して正規の制御基板９を不正なものと交換し、そうして先に剥がした封印シール３０を貼り直した後、先に破壊したカバー部材３８を別途入手した基板ボックス８のカバー部材に付け替え、そうして不正の発覚を防ごうとする不正行為がある。
【００５４】
これに対し実施形態２の封印シール３０は、剥離のための溶剤に反応して溶剤反応型インク部３７が黒に変色するため、封印シール３０の全域に溶剤使用の痕跡が残る。また、二次元コード３３ｂの背景部分が黒に変色することで、明暗のコントラストが不鮮明になるため、リーダーによる読み取りが困難又は不能になる。
したがって、溶剤で剥がした封印シール３０を貼り直して別のカバー部材３８で覆っても、封印シール３０の変色で不正に気付く。また、もし仮に従業員が故意（従業員が不正者に加担しているケース）又は過失により封印シール３０の変色を見落としたとしても、リーダーによる二次元コード３３ｂの管理を行う際に読み取りエラーになることで、確実に発見することができる。
【００５５】
ところで不正者は、溶剤による剥離と物理的な剥離とを組み合わせて溶剤の使用量を最小限に抑え、そうして封印シール３０の変色を少なくしようとする可能性があるが、実施形態２では、物理的な剥離作業の困難性を高めるための切込み３６を二次元コード３３ｂの近接位置に設けてそのような可能性も生じないようにしている。何故なら、切込み３６を設けた部分については、物理的な剥離が困難（破れる）であるため溶剤を使用する確率が高く、よって二次元コード３３ｂの近接位置に切込み３６を設けることで該二次元コード３３ｂに溶剤が掛かる確率が格段に高くなるためである。
【００５６】
以上の実施形態２から把握される技術的思想は、次のとおりである。
［実施形態２の技術的思想］
請求項１に記載のダメージ付与手段は、前記基材シートの少なくとも前記二次元コードの背景部分に、前記貼着剤層を剥離させ得る溶剤に反応して変色する溶剤反応型インク部を形成すると共に、該溶剤反応型インク部の溶剤反応後の色と前記二次元コードの色とを前記リーダーによる二次元コードの読み取りが困難又は不能になる組み合わせにしたものであることを特徴とする。
【００５７】
［実施形態３］
実施形態３は、上記実施形態１又は２の基板ボックス８に第３のダメージ付与手段を追加したものである。
この第３のダメージ付与手段は、前記二次元コード３３ｂを、前記貼着剤層３５に作用してその接着性又は粘着性を殺ぎ得る例えばエタノール系の溶剤に反応して溶け出すインクで形成したものである。
かかる第３のダメージ付与手段によれば、実施形態２のように溶剤で封印シール３０を剥がす不正行為が行われた場合に、その溶剤に溶けて二次元コード３３ｂ自体の形が崩れるため、リーダーによる読み取りが困難又は不能になる。したがって、実施形態２と同様の不正防止効果が得られる。
【００５８】
以上の実施形態３から把握される技術的思想は、次のとおりである。
［実施形態３の技術的思想］
請求項１に記載のダメージ付与手段は、前記二次元コードを、前記貼着剤層を剥離させ得る溶剤に反応して溶けるインクで形成したものであることを特徴とする。
【００５９】
［その他の不正防止手段］
上記した実施形態１〜３は、二次元コード３３ｂにダメージを与えて不正を防止するものであるが、実施形態２のダメージ付与手段を改変して不正者を特定可能な不正防止手段として利用することもできる。
すなわち、二次元コード３３ｂを、前記溶剤に反応しない通常のインクと、貼着剤層３５を剥離させ得る溶剤に反応して変色する溶剤反応型インクで形成し、該溶剤を使用した場合に二次元コード３３ｂが変化して、リーダーによる読み取りで不正情報が発信されるようにするのである。
具体的には、二次元コード３３ｂがＱＲコードである場合、通常のインクで基本情報を記録すると共に溶剤に反応して変色するインク（通常時は透明）で不正情報を知らせるセルを仕込んでおき、溶剤で封印シール３０が剥がされたときに該セルが変色してリーダーで読み取り可能な不正検知情報が現出するようにすればよい。
言うまでもなく二次元コード３３ｂの変化は肉眼では判りにくいため、溶剤を使って不正を行った者に、偽装の完成度が高い、と見せ掛けて油断させることができる。一方、日常点検により二次元コード３３ｂの情報を読み取ると、即座に不正が検知されるため、その遊技機を営業時間中監視すれば、油断して犯行に及ぼうとする不正行為者を特定し、惹いては身柄の拘束等必要な措置を講じることができる。
【００６０】
以上の不正防止手段から把握される技術的思想は、次のとおりである。
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
基材シートの裏面に貼着剤層を形成してなり、前記ベース体と前記蓋体とを接合した状態でその境界部を跨ぐように貼着して封印する封印シールと、を有する遊技機であって、
前記封印シールは、
リーダーを介して読み取り可能な二次元コードと、
該二次元コードの背景部分に形成され、前記貼着剤層を剥離させ得る溶剤に反応して前記リーダーで認識可能な色に変色する溶剤反応型インク部と、備えており、
さらに前記溶剤反応型インク部の前記変色によって前記二次元コード内にリーダーを介して読み取り可能な不正検知情報が現出するようになっていることを特徴とする遊技機。
【００６１】
以上、本発明を実施形態１〜３について説明したが、もちろん本発明は上記実施形態に限定されるものではない。例えば、各実施形態１〜３は、それぞれ単独で実施してもよく、また、それらを適宜に組み合わせて実施してもよい。言うまでもなく実施形態１〜３は、単独で実施するより、複数を組み合わせて実施する方が高い防犯効果が得られる。
また、実施形態は、遊技機としてパチンコ機を例示したが、スロットマシン、その他の遊技機にも同様に適用できる。
また、実施形態では、シール破断板２８の刃状部５６，５７をなまくら刃にしたが、鋭角の鋭い刃先にしてももちろんよい。
【００６２】
また、実施形態では、カバー部材３８とシール破断板２８を連結する連結手段をワンウェイクラッチ爪５５，５５とフック片５８，５８で形成したが、例えば図２１に示したようにカバー受け４５に開設した透孔６７からカバー部材３８とシール破断板２８にリベット６８を通して接着するなど、どのようなものであってもよい。
【００６３】
また、実施形態２では、二次元コード３３ｂの色と背景部分の色を黒に設定したが、例えば赤色光の照明で二次元コード３３ｂを捉えるスキャナをリーダーとする場合には、二次元コード３３ｂを青色にして背景部分を緑色に変化させるようにする等、二次元コード３３ｂと背景部分の双方が赤い光を反射(または吸収)する組み合わせに設定してもよい。
【符号の説明】
【００６４】
７  …制御装置
８  …基板ボックス
９  …制御基板
１０…ベース体
１１…蓋体
１２…前面板
１３…ベース体の側壁
１４…後面板
１５…蓋体の側壁
２８…シール破断板（ダメージ付与手段）
３０…封印シール
３３ｂ…二次元コード
３４…基材シート
３５…貼着剤層
３７…溶剤反応型インク部（ダメージ付与手段）
３８…カバー部材（ダメージ付与手段）
【図１】
2019115804.tif 000003
【図２】
2019115804.tif 000004
【図３】
2019115804.tif 000005
【図４】
2019115804.tif 000006
【図５Ａ】
2019115804.tif 000007
【図５Ｂ】
2019115804.tif 000008
【図６Ａ】
2019115804.tif 000009
【図６Ｂ】
2019115804.tif 000010
【図７】
2019115804.tif 000011
【図８】
2019115804.tif 000012
【図９】
2019115804.tif 000013
【図１０】
2019115804.tif 000014
【図１１】
2019115804.tif 000015
【図１２】
2019115804.tif 000016
【図１３】
2019115804.tif 000017
【図１４】
2019115804.tif 000018
【図１５】
2019115804.tif 000019
【図１６Ａ】
2019115804.tif 000020
【図１６Ｂ】
2019115804.tif 000021
【図１７Ａ】
2019115804.tif 000022
【図１７Ｂ】
2019115804.tif 000023
【図１８Ａ】
2019115804.tif 000024
【図１８Ｂ】
2019115804.tif 000025
【図１９】
2019115804.tif 000026
【図２０】
2019115804.tif 000027
【図２１】
2019115804.tif 000028
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
前記遊技機の背面側に設置され、制御基板を収納する第１部材及び第２部材からなる基板ケースと、
前記第１部材と前記第２部材とに跨って貼着される封印シールと、
を備え、
前記封印シールは、
該封印シールの粘着力を低下させるための所定の溶剤に反応して表示内容が溶け出す溶剤変化部と、
文字情報が表示された文字情報表示部と、
を有し、
前記文字情報表示部は、前記所定の溶剤が用いられたときに表示内容が溶け出さないものである
ことを特徴とする遊技機。
【手続補正２】
【補正対象書類名】明細書
【補正対象項目名】０００７
【補正方法】変更
【補正の内容】
【０００７】
上記の目的を達成するため本発明は、
遊技を行うことが可能な遊技機であって、
前記遊技機の背面側に設置され、制御基板を収納する第１部材及び第２部材からなる基板ケースと、
前記第１部材と前記第２部材とに跨って貼着される封印シールと、
を備え、
前記封印シールは、
該封印シールの粘着力を低下させるための所定の溶剤に反応して表示内容が溶け出す溶剤変化部と、
文字情報が表示された文字情報表示部と、
を有し、
前記文字情報表示部は、前記所定の溶剤が用いられたときに表示内容が溶け出さないものである遊技機を提供する。
【手続補正３】
【補正対象書類名】明細書
【補正対象項目名】０００８
【補正方法】変更
【補正の内容】
【０００８】
本発明によれば、不正行為を日常点検で発見し易くすることができる。